(57)【特許請求の範囲】
【請求項１】
光ケーブルの端部を光電子モジュールに取り外し可能に結合するように構成されているプラグ着脱可能なコネクタであって、
前記光電子モジュールのラッチスロットに係合して、前記光電子モジュール内に、前記光ケーブルの光ファイバに光学的に結合されるフェルールを保持するように構成されている第１の部分、及び
前記第１の部分が前記ラッチスロットに係合すると、前記フェルールに係合して、前記光電子モジュール内からの前記フェルールの取り外しを防止するように構成されている第２の部分
を備えており、
前記第１の部分は、ラッチが配置されている弾性のタングを含むコネクタシェルを含み、前記ラッチは、前記光電子モジュールのラッチスロット内に受け入れられるように構成されており、前記コネクタシェルは、該コネクタシェルの正面において前記フェルールの少なくとも一部を内部に受け入れるように構成されており、
前記第２の部分は、部分的に前記コネクタシェル内に位置決めされるように構成されているとともに、前記フェルールの後ろに位置決めされるように構成されているカシメリングベースを含み、該カシメリングベースは、前記コネクタシェルの弾性のタングの上で前記コネクタシェルの外側に位置決めされるように構成されている弾性のタブを含んでおり、
前記コネクタシェルは、該コネクタシェルの弾性のタングが延びる開口を画定し、
前記開口は、前記コネクタシェルの弾性のタングの幅よりも大きい幅を有しており、
前記カシメリングベースの弾性のタブは、前記コネクタシェルの弾性のタングの上に位置決めされるように構成されている突出部を含んでおり、
前記カシメリングベースの弾性のタブの突出部は、前記コネクタシェルに画定される開口の幅よりも小さい幅を有しており、
前記カシメリングベースの弾性のタブは、前記突出部の上の位置から外方に延びるハードストップを含み、前記カシメリングベースの弾性のタブは、前記コネクタシェルに画定される開口の幅よりも大きいハードストップからハードストップへの幅を有している、プラグ着脱可能なコネクタ。
【請求項２】
前記カシメリングベースの弾性のタブへの十分な大きさの作動力の印加に応じて、
前記カシメリングベースの弾性のタブは、下方に撓んで前記コネクタシェルの弾性のタングに接触するように構成されており、
前記コネクタシェルの弾性のタングは下方に撓むように構成されており、
前記コネクタシェルの弾性のタングに配置される前記ラッチは、前記フェルールを前記光電子モジュールから取り外すことができるように、前記光電子モジュールのラッチスロットから離脱するように構成されている、請求項１に記載のプラグ着脱可能なコネクタ。
【請求項３】
前記プラグ着脱可能なコネクタは、
前記カシメリングベースと前記フェルールの後ろとの間に配置されるように構成されている一対のばね、
前記光ファイバを内部に通すように構成されているフェルールブーツであって、部分的に前記フェルール内に、及び、部分的に前記カシメリングベース内に配置されるように構成されている、フェルールブーツ、
前記カシメリングベースの首部が前記光ケーブルのケーブルジャケットの端部内に位置決めされる位置において、前記ケーブルジャケットの端部を囲むカシメリングであって、前記光ケーブルを前記カシメリングベースに固定するように加締められる、カシメリング、及び
前記カシメリングベースの後ろに位置決めされるとともに前記光ケーブルを通すように構成されているブーツ
を更に備えている、請求項１に記載のプラグ着脱可能なコネクタ。
【請求項４】
前記カシメリングベースの弾性のタブへの十分な大きさの作動力の印加に応じて、
前記カシメリングベースの弾性のタブは、下方に撓んで前記コネクタシェルの弾性のタングに接触するように構成されており、
前記コネクタシェルの弾性のタングは下方に撓むように構成されており、
前記コネクタシェルは、前記カシメリングベースの弾性のタブのハードストップに係合して、前記コネクタシェルの弾性のタングが、前記突出部が前記カシメリングベースの弾性のタブのハードストップの下に延びる距離によって定められる所定の距離を超えて下方に撓むことを防止するように構成されている、請求項１に記載のプラグ着脱可能なコネクタ。
【請求項５】
光ケーブルの端部を光電子モジュールに取り外し可能に結合するように構成されているプラグ着脱可能なコネクタであって、
前記光電子モジュールのラッチスロットに係合して、前記光電子モジュール内に、前記光ケーブルの光ファイバに光学的に結合されるフェルールを保持するように構成されている第１の部分、及び
前記第１の部分が前記ラッチスロットに係合すると、前記フェルールに係合して、前記光電子モジュール内からの前記フェルールの取り外しを防止するように構成されている第２の部分
を備えており、
前記第１の部分は、ラッチが配置されている弾性のタングを含むコネクタシェルを含み、前記ラッチは、前記光電子モジュールのラッチスロット内に受け入れられるように構成されており、前記コネクタシェルは、該コネクタシェルの正面において前記フェルールの少なくとも一部を内部に受け入れるように構成されており、
前記第２の部分は、前記光ケーブルの周りに一緒に組み付けられるとともに、部分的に前記コネクタシェル内及び前記フェルールの後ろに位置決めされるように構成されている別個の上側クランプ及び下側クランプを含み、前記上側クランプは、前記コネクタシェルの弾性のタングの上で前記コネクタシェルの外側に位置決めされるように構成されている弾性のタブを含んでおり、
前記コネクタシェルは、該コネクタシェルの弾性のタングが延びる開口を画定し、
前記開口は、前記コネクタシェルの弾性のタングの幅よりも大きい幅を有しており、
前記上側クランプの弾性のタブは、前記コネクタシェルの弾性のタングの上に位置決めされるように構成されている突出部を含んでおり、
前記上側クランプの弾性のタブの突出部は、前記コネクタシェルに画定される開口の幅よりも小さい幅を有しており、
前記上側クランプの弾性のタブは、前記突出部の上の位置から外方に延びるハードストップを含み、前記上側クランプの弾性のタブは、前記コネクタシェルに画定される開口の幅よりも大きいハードストップからハードストップへの幅を有している、プラグ着脱可能なコネクタ。
【請求項６】
前記上側クランプの弾性のタブへの十分な大きさの作動力の印加に応じて、
前記上側クランプの弾性のタブは、下方に撓んで前記コネクタシェルの弾性のタングに接触するように構成されており、
前記コネクタシェルの弾性のタングは下方に撓むように構成されており、
前記コネクタシェルの弾性のタングに配置される前記ラッチは、前記フェルールを前記光電子モジュールから取り外すことができるように、前記光電子モジュールのラッチスロットから離脱するように構成されている、請求項５に記載のプラグ着脱可能なコネクタ。
【請求項７】
前記組み付けられた上側クランプ及び下側クランプと前記フェルールの後ろとの間に配置されるように構成されている一対のばねを更に含んでいる、請求項５に記載のプラグ着脱可能なコネクタ。
【請求項８】
前記上側クランプの弾性のタブへの十分な大きさの作動力の印加に応じて、
前記上側クランプの弾性のタブは、下方に撓んで前記コネクタシェルの弾性のタングに接触するように構成されており、
前記コネクタシェルの弾性のタングは下方に撓むように構成されており、
前記コネクタシェルは、前記上側クランプの弾性のタブのハードストップに係合して、前記コネクタシェルの弾性のタングが、前記突出部が前記上側クランプの弾性のタブのハードストップの下に延びる距離によって定められる所定の距離を超えて下方に撓むことを防止するように構成されている、請求項５に記載のプラグ着脱可能なコネクタ。
【請求項９】
システムであって、
ケーブルジャケット、及び、該ケーブルジャケット内に配置される複数の光ファイバを含む光ケーブルであって、前記複数の光ファイバは、前記ケーブルジャケットから延びる端部を含む、光ケーブル、及び
前記光ケーブルの端部を光電子モジュールに取り外し可能に結合するように構成されているプラグ着脱可能なコネクタであって、
前記光電子モジュールのラッチスロットに係合して、前記光電子モジュール内に、前記複数の光ファイバに光学的に結合されるフェルールを保持するように構成されている第１の部分、及び
前記第１の部分が前記ラッチスロットに係合すると、前記フェルールに係合して、前記光電子モジュール内からの前記フェルールの取り外しを防止する第２の部分
を備える、プラグ着脱可能なコネクタ
を備えており、
前記第１の部分は、ラッチが配置されている弾性のタングを含むコネクタシェルを含み、前記ラッチは、前記光電子モジュールのラッチスロット内に受け入れられるように構成されており、前記フェルールの少なくとも一部が、前記コネクタシェルの正面において該コネクタシェルに受け入れられ、
前記第２の部分は、部分的に前記コネクタシェル内に位置決めされるとともに前記フェルールの後ろに位置決めされるカシメリングベースを含み、該カシメリングベースは、前記コネクタシェルの弾性のタングの上で前記コネクタシェルの外側に位置決めされる弾性のタブを含んでおり、
前記コネクタシェルは、該コネクタシェルの弾性のタングが延びる開口を画定し、
前記開口は、前記コネクタシェルの弾性のタングの幅よりも大きい幅を有しており、
前記カシメリングベースの弾性のタブは、前記コネクタシェルの弾性のタングの上に位置決めされる突出部を含んでおり、
前記カシメリングベースの弾性のタブの突出部は、前記コネクタシェルに画定される開口の幅よりも小さい幅を有しており、
前記カシメリングベースの弾性のタブは、前記突出部の上の位置から外方に延びるハードストップを含み、前記カシメリングベースの弾性のタブは、前記コネクタシェルに画定される開口の幅よりも大きいハードストップからハードストップへの幅を有している、システム。
【請求項１０】
システムであって、
ケーブルジャケット、及び、該ケーブルジャケット内に配置される複数の光ファイバを含む光ケーブルであって、前記複数の光ファイバは、前記ケーブルジャケットから延びる端部を含む、光ケーブル、及び
前記光ケーブルの端部を光電子モジュールに取り外し可能に結合するように構成されているプラグ着脱可能なコネクタであって、
前記光電子モジュールのラッチスロットに係合して、前記光電子モジュール内に、前記複数の光ファイバに光学的に結合されるフェルールを保持するように構成されている第１の部分、及び
前記第１の部分が前記ラッチスロットに係合すると、前記フェルールに係合して、前記光電子モジュール内からの前記フェルールの取り外しを防止する第２の部分
を備える、プラグ着脱可能なコネクタ
を備えており、
前記第１の部分は、ラッチが配置されている弾性のタングを含むコネクタシェルを含み、前記ラッチは、前記光電子モジュールのラッチスロット内に受け入れられるように構成されており、前記フェルールの少なくとも一部が、前記コネクタシェルの正面において前記コネクタシェルに受け入れられ、
前記第２の部分は、前記光ケーブルの周りに一緒に組み付けられるとともに、部分的に前記コネクタシェル内及び前記フェルールの後ろに位置決めされる別個の上側クランプ及び下側クランプを含み、前記上側クランプは、前記コネクタシェルの弾性のタングの上で前記コネクタシェルの外側に位置決めされる弾性のタブを含んでおり、
前記コネクタシェルは、該コネクタシェルの弾性のタングが延びる開口を画定し、
前記開口は、前記コネクタシェルの弾性のタングの幅よりも大きい幅を有しており、
前記上側クランプの弾性のタブは、前記コネクタシェルの弾性のタングの上に位置決めされる突出部を含んでおり、
前記上側クランプの弾性のタブの突出部は、前記コネクタシェルに画定される開口の幅よりも小さい幅を有しており、
前記上側クランプの弾性のタブは、前記突出部の上の位置から外方に延びるハードストップを含み、前記上側クランプの弾性のタブは、前記コネクタシェルに画定される開口の幅よりも大きいハードストップからハードストップへの幅を有している、システム。
【発明の詳細な説明】
【技術分野】
【０００１】
本明細書において記載される幾つかの実施形態は、光電子モジュールとともに使用することができるケーブルコネクタに関する。
【背景技術】
【０００２】
幾つかのデータ伝送は、光信号から電気信号への及び／又は電気信号から光信号への変換を伴う。幾つかの用途では、変換は回路基板において生じる。例えば、１つ又は複数の光信号を搬送する光ケーブルは、オプティカルエンジン等の基板実装オプティカルアセンブリ（ＢＯＡ）等の光電子モジュール、又は、ＸＦＰ、ＱＳＦＰ、ＳＦＰ＋若しくは他のプラグ着脱可能な光電子モジュール等のプラグ着脱可能な光電子モジュールにインタフェースすることができる。ＢＯＡでは、光信号は、光受信器を使用して光信号から電気信号に変換されることができる。電気信号は次に、回路基板に一体化されるエッチングされた銅トレースに沿って目的地まで通信されることができる。同様に、電気信号は、エッチングされた銅トレースに沿ってＢＯＡまで通信されることができる。ＢＯＡでは、電気信号は、光送信器によって光信号に変換されることができる。光信号は次に、光電子モジュールにインタフェースする同じか又は異なる光ケーブルに沿って更に通信されることができる。
【０００３】
幾つかのＢＯＡでは、レンズアセンブリを、ケーブルコネクタ等の光インタフェースを受け入れるように構成することができる。光インタフェースは、光データをＢＯＡに対して通信する１つ又は複数の光ファイバを概して支持する。しかし、多くのそのようなケーブルコネクタに伴う１つの問題は、ＢＯＡのモジュールレベルの試験を容易にするために、ケーブルコネクタを容易に取り付け及び取り外すことができないことである。
【０００４】
本明細書において請求される主題は、いずれかの欠点を解決するか、又は、上述したような環境でのみ動作する実施形態には限定されない。むしろ、この背景技術は、本明細書において記載される幾つかの実施形態を実施することができる１つの例示的な技術領域を示すためにのみ与えられている。
【発明の概要】
【発明が解決しようとする課題】
【０００５】
本発明の目的は、上記した問題を解決することができるケーブルコネクタを提供することにある。
【課題を解決するための手段】
【０００６】
この概要は、詳細な説明において以下で更に記載される概念の選択を簡単な形態で導入するために与えられている。この概要は、特許請求の範囲に記載される主題の重要な特徴又は必須の特性を特定することは意図せず、特許請求の範囲に記載される主題の範囲を判断する上で助けとして用いられることも意図しない。
【０００７】
本明細書において記載される幾つかの例示的な実施形態は、包括的には、光電子モジュールとともに使用することができるケーブルコネクタに関する。
例示的な実施形態では、光ケーブルの端部を光電子モジュールに取り外し可能に結合するように構成されているプラグ着脱可能なコネクタが、第１の部分及び第２の部分を含む。第１の部分は、光電子モジュールのラッチスロットに係合して、光電子モジュール内に、光ケーブルの光ファイバに光学的に結合されるフェルールを保持するように構成されている。第２の部分は、第１の部分がラッチスロットに係合すると、フェルールに係合して、光電子モジュール内からのフェルールの取り外しを防止するように構成されている。
【０００８】
別の例示的な実施形態では、システムは、光ケーブル及びプラグ着脱可能なコネクタを含む。光ケーブルは、ケーブルジャケット、及び、ケーブルジャケット内に配置される光ファイバを含み、光ファイバは、ケーブルジャケットから延びる端部を含む。プラグ着脱可能なコネクタは、光ケーブルの端部を光電子モジュールに取り外し可能に結合するように構成されており、第１の部分及び第２の部分を含む。第１の部分は、光電子モジュールのラッチスロットに係合して、光電子モジュール内に、光ファイバに光学的に結合されるフェルールを保持するように構成されている。第２の部分は、第１の部分がラッチスロットに係合すると、フェルールに係合して、フェルールが光電子モジュール内から取り外されることを防止する。
【０００９】
本発明の更なる特徴及び利点は、以下の説明において記載され、一部が説明から明らかとなるか、又は、本発明の実施によって習得されることができる。本発明の特徴及び利点は、添付の特許請求の範囲において特定される器具及び組み合わせによって実現して得ることができる。本発明のこれら及び他の特徴は、以下の説明及び添付の特許請求の範囲からより十分に明らかとなるか、又は、本明細書において以下で記載されるような本発明の実施によって習得されることができる。
【００１０】
本発明の上記及び他の利点並びに特徴を更に明確にするために、本発明のより詳細な説明が、添付の図面に示されているその特定の実施形態を参照することによってなされる。これらの図面が、本発明の専ら典型的な実施形態を示し、したがって、その範囲の限定とはみなされるべきではないことが理解される。本発明は、添付の図面を用いることによって、更に具体的かつ詳細に記載及び説明される。
【図面の簡単な説明】
【００１１】
【図１】例示的な光電子モジュール及び例示的なプラグ着脱可能なコネクタの斜視図である。
【図２】図１の光電子モジュール及びプラグ着脱可能なコネクタの側断面図である。
【図３】図１の光電子モジュール及びプラグ着脱可能なコネクタの分解斜視図である。
【図４】図１のプラグ着脱可能なコネクタの斜視図である。
【図５Ａ】図１のプラグ着脱可能なコネクタの分解斜視図である。
【図５Ｂ】図１のプラグ着脱可能なコネクタのコネクタシェル及びカシメリングベースの上面斜視図である。
【図６Ａ】図１のプラグ着脱可能なコネクタを用いて、光ケーブルを図１の光電子モジュールに取り付けるプロセスを示す断面図である。
【図６Ｂ】図１のプラグ着脱可能なコネクタを用いて、光ケーブルを図１の光電子モジュールに取り付けるプロセスを示す断面図である。
【図６Ｃ】図１のプラグ着脱可能なコネクタを用いて、光ケーブルを図１の光電子モジュールに取り付けるプロセスを示す断面図である。
【図６Ｄ】図１のプラグ着脱可能なコネクタを用いて、光ケーブルを図１の光電子モジュールに取り付けるプロセスを示す断面図である。
【図６Ｅ】図１のプラグ着脱可能なコネクタを用いて、光ケーブルを図１の光電子モジュールに取り付けるプロセスを示す断面図である。
【図７】図１の光電子モジュールから図１のプラグ着脱可能なコネクタ及び光ケーブルを取り外すプロセスを示す側断面図である。
【図８】図１の光電子モジュール及び別のプラグ着脱可能なコネクタの断面斜視図である。
【図９】図１の光電子モジュール及び図８のプラグ着脱可能なコネクタの分解斜視図である。
【図１０Ａ】別のプラグ着脱可能なコネクタの斜視図である。
【図１０Ｂ】別のプラグ着脱可能なコネクタの斜視図である。
【図１１Ａ】図１０Ａ及び図１０Ｂのプラグ着脱可能なコネクタの分解斜視図である。
【図１１Ｂ】図１０Ａ及び図１０Ｂのプラグ着脱可能なコネクタのコネクタシェル及びカシメリングベースの上面斜視図である。
【図１２】図１０Ａ及び図１０Ｂのプラグ着脱可能なコネクタ並びに図１の光電子モジュールの分解斜視図である。
【図１３】伝熱を示す矢印を有する、図１の光電子モジュールの断面斜視図である。
【図１４】図１の光電子モジュールの底面斜視図である。
【図１５】図１の光電子モジュールの別の底面斜視図である。
【図１６】全て本明細書において記載される少なくとも１つの実施形態に従って配置されている、図１の光電子モジュールの断面底面斜視図である。
【発明を実施するための形態】
【００１２】
本明細書において開示される実施形態は、光学部品に関する。より詳細には、幾つかの例示的な実施形態は、光電子モジュールのプラグ着脱可能なコネクタに関する。プラグ着脱可能なコネクタは、光ケーブルの端部に取り付けることができる。プラグ着脱可能なコネクタは、光電子モジュールに取り外し可能に固定され、例えば、光ケーブルの１つ又は複数の光ファイバを、光電子モジュールのレンズ又はレンズアセンブリに光学的に結合することができる。幾つかの実施形態では、プラグ着脱可能なコネクタは、光ケーブルの端部に恒久的に取り付けられる。他の実施形態では、プラグ着脱可能なコネクタは、光ケーブルの端部に取り外し可能に取り付けられる。代替的に又は付加的に、プラグ着脱可能なコネクタは、フェルールベースの光ケーブルを光電子モジュールに取り外し可能に固定するようにクリップを含むことができる。代替的に又は付加的に、プラグ着脱可能なコネクタは、フェルールベースの光ケーブルをプラグ着脱可能な光ケーブルに変換させる変換器を含むことができる。本明細書において記載される実施形態は、そのような光電子モジュールにおける熱の流れに更に関する。
【００１３】
例示的な実施形態は、光電子モジュールへの、より詳細には光電子モジュールのレンズアセンブリへの光ケーブルの係合を維持するように構成されているプラグ着脱可能なコネクタを含む。プラグ着脱可能なコネクタは、光電子モジュールを分解することなく、光ケーブルをレンズアセンブリから離脱させることを可能にする。光電子モジュールを分解することなく光ケーブルをレンズアセンブリから離脱させることが可能であることは、光電子モジュールのより容易なモジュール式の試験を容易にすることができる。本明細書において記載される実施形態は、フェルールベースの光ケーブルをプラグ着脱可能なケーブルに変換することが可能な変換器、及び／又は、フェルールベースの光ケーブルを光電子モジュールに接続するように構成されているクリップを含む、プラグ着脱可能なコネクタの構造も含むことができる。
【００１４】
ここで、幾つかの実施形態の種々の態様を説明するために図面を参照する。図面は、実施形態の図式的及び概略的な表現であり、限定的であることは意図されず、また必ずしも縮尺通りではないことを理解されたい。図面を通して、同様の参照符号は概して、別途記載されない限り同様の構造を指す。
【００１５】
図１〜図３は、本明細書において記載される少なくとも１つの実施形態に従って配置されている、例示的な光電子モジュール２００及び例示的なプラグ着脱可能なコネクタ１００の種々の図を含む。具体的には、図１は、プラグ着脱可能なコネクタ１００が光ケーブル１５０の光ファイバ１６５（図５Ａ）を光電子モジュール２００に接続している状態の、ホストデバイスのホスト回路基板又はＰＣＢ３００（以下「ホストＰＣＢ３００」）に実装された光電子モジュール２００の斜視図である。図２は、図１の光電子モジュール２００及びプラグ着脱可能なコネクタ１００の側断面図である。図３は、光電子モジュール２００及びプラグ着脱可能なコネクタ１００の分解斜視図である。図１〜図３は、光電子モジュール２００を通って延びるねじ３５０、及び、ホストＰＣＢ３００にある対応する穴３４０を示している。ねじ３５０は、ナット３２０と関連して用いられ、光電子モジュール２００をホストＰＣＢ３００の表面に固定及び取り付けすることができる。
【００１６】
図１〜図３に示されている光電子モジュール２００はＢＯＡとして実施される。例えば、ＢＯＡは、１０ギガビット／秒（Ｇｂ／秒）のオプティカルエンジン、２５Ｇｂ／秒のオプティカルエンジン、又は、他の好適なＢＯＡを含むことができる。したがって、光電子モジュール２００は、集積回路間及び／又は回路基板間の高速の（例えば２５Ｇｂ／秒以上）の光相互接続のために設計することができる。付加的に又は代替的に、光電子モジュール２００は、２０個、２４個又は他の量の光チャネルを送受信するように構成することができ、光チャネルのそれぞれはデータを通信するように構成することができる。
【００１７】
光電子モジュール２００は、ホストＰＣＢ３００に実装された後で、例えば、ホストデバイスとネットワーク（図示せず）との間でデータを通信するように構成することができる。光電子モジュール２００は、電気信号を、電気信号を表す光信号に、またその逆も同様に変換することができる。例えば、光信号の形態のデータを、ネットワークから光ケーブル１５０に沿って光電子モジュール２００まで通信することができる。光電子モジュール２００の構成要素（その例を後述する）は、光信号を、光信号を表す電気信号に変換することができる。次に、電気信号をホストデバイスに通信することができる。同様に、ホストデバイスは、電気信号を光電子モジュール２００に通信することができる。光電子モジュール２００は、電気信号を、電気信号を表す光信号に変換することができる。光信号を、光ケーブル１５０に沿ってネットワーク内に、例えば別の光電子モジュール２００まで通信することができる。
【００１８】
光電子モジュール２００はモジュールハウジング２５０を含むことができる。モジュールハウジング２５０は概して、モジュールハウジング２５０内に位置決めされる構成要素を保護することができる。代替的に又は付加的に、モジュールハウジング２５０は、光電子モジュール２００の１つ又は複数の熱発生構成要素によって発生される熱を消散させることができる。図示の光電子モジュール２００では、例えば、光電子モジュール２００は、モジュールハウジング２５０及び１つ又は複数の熱発生構成要素に熱的に結合されるヒートスプレッダ２６０を含む。ヒートスプレッダ２６０は、フレックス回路２３０内に収容され、インタポーザ２７０がその表面に形成され、インタポーザ２７０は、図６Ａに示されているようにヒートスプレッダ２６０の下に位置決めされる。図２では１つのみのヒートスプレッダ２６０が含まれているが、幾つかの実施形態では、モジュールハウジング２５０、又は、より包括的には光電子モジュール２００には２つ以上のヒートスプレッダ２６０を含めることができる。光電子モジュール２００の熱発生構成要素が発生させる熱は、熱発生構成要素からヒートスプレッダ２６０に伝わることができ、ヒートスプレッダ２６０は熱をモジュールハウジング２５０に伝導的に伝えることができる。モジュールハウジング２５０は、熱を周囲の環境に消散させることができるか、並びに／又は、熱を、モジュールハウジング２５０の上面に熱的に結合されるか及び／若しくは取り付けられるヒートシンクに伝導的に伝えることができる。代替的には、ヒートスプレッダ２６０は省いてもよい。
【００１９】
モジュールハウジング２５０は、モジュールハウジング２５０を貫通するとともに、光ケーブル１５０の光ファイバ１６５（図５Ａ）が光電子モジュール２００のレンズアセンブリ２９０（図３）に光学的に結合することを可能にするコネクタ開口２１０（図３）を画定する。特に、図３に示されているように、プラグ着脱可能なコネクタ１００及び光ケーブル１５０は、コネクタ開口２１０を介して、比較的水平な又は０度の角度で、例えば、ホストＰＣＢ３００に対して平行に又は実質的に平行に光電子モジュール２００を出ることができる。モジュールハウジング２５０は、以下でより十分に記載するように、プラグ着脱可能なコネクタ１００のラッチ１２５を受け入れるようにラッチスロット２２０（図３）も含む。ラッチ１２５の全て又は一部が、ラッチスロット２２０内に受け入れられ、プラグ着脱可能なコネクタ１００を光電子モジュール２００に選択的に係合させることができる。
【００２０】
光電子モジュール２００は、レンズアセンブリ２９０、クアッドクロックデータリカバリ（ＱＣＤＲ）集積回路（ＩＣ）２８０若しくは他のＩＣ、及び／又は、モジュールハウジング２５０内に位置決めすることができる他の構成要素も含むことができる。熱発生構成要素は、ＱＣＤＲ  ＩＣ２８０及び／若しくは他のＩＣ又は構成要素を含むことができる。レンズアセンブリ２９０は、フレックス回路２３０に取り付けられる１つ又は複数の構成要素（図示せず）の上に位置決めすることができ、その構成要素のうちの１つ又は複数が熱発生構成要素を含むことができる。ヒートスプレッダ２６０は、以下でより十分に記載するように、熱発生構成要素からの熱をモジュールハウジング２５０に伝えるように構成することができる。
【００２１】
レンズアセンブリ２９０は、プラグ着脱可能なコネクタ１００を受け入れるように構成することができる。プラグ着脱可能なコネクタ１００は、光ケーブル１５０、例えば、光ケーブル１５０の端部に機械的に結合することができる。光ケーブル１５０の光ファイバ１６５（図５Ａ）は、プラグ着脱可能なコネクタ１００を通って少なくとも部分的に延びることができ、光信号を光ファイバ１６５とレンズアセンブリ２９０との間で通信することができるように、レンズアセンブリ２９０に光学的に結合することができる。入力又は受信（ＲＸ）光信号は、レンズアセンブリ２９０において光ファイバ１６５のうちの１つ又は複数から受信されることができ、レンズアセンブリ２９０は、入力又はＲＸ光信号を、フレックス回路２３０又は光電子モジュール２００内の別の場所に実装される１つ又は複数の光受信器又は他の構成要素に通信することができる。発信又は送信（ＴＸ）光信号は、フレックス回路２３０又は光電子モジュール２００内の別の場所に実装される１つ又は複数の光受信器又は他の構成要素によって放出又は送信されることができる。発信又はＴＸ光信号は、発信又はＴＸ光信号の外部への送信のために、レンズアセンブリ２９０によって光ファイバ１６５のうちの１つ又は複数に通信されることができる。したがって、プラグ着脱可能なコネクタ１００は、少なくとも、光信号を光電子モジュール２００に対して通信する光ファイバ１６５を支持するため、光インタフェースの一例である。本明細書において用いられる場合、「光インタフェース」という用語は、プラグ着脱可能なコネクタ１００、並びに、光信号を光電子モジュールに対して通信する光ファイバに支持を提供する同様の及び／又は類似の構造を説明するのに用いられることができる。光ファイバ１６５は、複数の個々のファイバ、リボン光ファイバ又は他の好適な光ファイバとして実現することができる。
【００２２】
図１〜図３を参照すると、プラグ着脱可能なコネクタ１００とレンズアセンブリ２９０との間の係合及び位置合わせは、以下でより十分に記載するように、ラッチ又はクリップによって維持することができる。具体的には、ラッチ又はクリップは、プラグ着脱可能なコネクタ１００を保持し、プラグ着脱可能なコネクタ１００を光電子モジュール２００から取り外すとともに、光ケーブル１５０をレンズアセンブリ２９０から分離し、レンズアセンブリ２９０に接続するように再び挿入することを可能にすることができる。ラッチ又はクリップは、プラグ着脱可能なコネクタ１００又は他の光インタフェースを、光電子モジュール２００によって選択的に保持することを可能にすることができる。プラグ着脱可能なコネクタ１００がレンズアセンブリ２９０内に受け入れられると、後述するラッチ及び／又はクリップは、本明細書においてより詳細に記載するように、プラグ着脱可能なコネクタ１００をレンズアセンブリ２９０及び／又はモジュールハウジング２５０にラッチすることができる。
【００２３】
図４は、本明細書において記載される少なくとも１つの実施形態に従って配置されている、図１のプラグ着脱可能なコネクタ１００の斜視図である。図４の例では、プラグ着脱可能なコネクタ１００はラッチ１２５を含む。より具体的には、プラグ着脱可能なコネクタ１００は２つのラッチ１２５を含むが、図４及び本明細書の他の図では１つのみが表記されている。この図及び／又は他の図における他の冗長な又は重複する構成要素に関して、同様の決まりに習い、この場合、冗長な又は重複する構成要素の全てではなく１つのみ又は幾つかが表記されている。プラグ着脱可能なコネクタ１００は１つ又は複数のラッチ１２５を含むことができる。
【００２４】
図５Ａは、本明細書において記載される少なくとも１つの実施形態に従って配置されている、図１のプラグ着脱可能なコネクタ１００の分解斜視図である。
図４及び図５Ａに関して、光ケーブル１５０は、ケーブルジャケット１９０及び光ファイバ１６５を含むことができ、プラグ着脱可能なコネクタ１００は、ブーツ又はダストシール１２２、カシメリング１７５及びカシメリングベース１７０を含むことができる。ケーブルジャケット１９０は、カシメリングベース１７０の首部１７１をケーブルジャケット１９０の端部１８０に挿入することによって、カシメリングベース１７０に取り付けることができる。カシメリング１７５は次に、ケーブルジャケット１９０の端部１８０において、カシメリングベース１７０の首部１７１がケーブルジャケット１９０の端部１８０内に位置決めされた状態で加締められる。
【００２５】
カシメリングベース１７０はラッチ解放構成要素又はタブ１３０を含み、ラッチ解放構成要素又はタブ１３０は、後述するように、ラッチ１２５を光電子モジュール２００のラッチスロット２２０から離脱させるように動作することができ、プラグ着脱可能なコネクタ１００を光電子モジュール２００から取り外すことを可能にする。ケーブルジャケット１９０は光ファイバ１６５を概ね収容し、光ファイバ１６５は、ケーブルジャケット１９０から、少なくともカシメリング１７５及びカシメリングベース１７０を部分的に通って延びる端部を有する。プラグ着脱可能なコネクタ１００は、一対のばね１６０とともにカシメリングベース１７０内に配置されるフェルールブーツ１５５、及び、レンズアセンブリ２９０に接続するフェルール１２４を更に含む。組み付けられると、プラグ着脱可能なコネクタ１００のコネクタシェル１３５が、フェルール１２４の一部、ばね１６０、フェルールブーツ１５５、光ファイバ１６５の端部及びカシメリングベース１７０の一部を収容する。フェルール１２４は、機械的切り替え（ＭＴ）型フェルール又は他の好適なフェルールを含むことができる。
【００２６】
コネクタシェル１３５は、その両側に形成されるカシメリングスロット１３６（図４及び図５Ａ）を含むことができ、カシメリングベース１７０は、その両側に配置されるカシメリングラッチ１７２（図４及び図５Ａ）を含むことができる。プラグ着脱可能なコネクタが完全に組み付けられると（図４）、カシメリングラッチ１７２は、カシメリングベース１７０がコネクタシェル１３５に係合してコネクタシェル１３５に結合されたままであるように、カシメリングスロット１３６によって受け入れられることができる。コネクタシェル１３５及び本明細書において記載される他のコネクタシェルは、板金シェル又は他の好適なコネクタシェルを含むことができる。
【００２７】
コネクタシェル１３５は、その両側に配置される一対の後方及び内方に方向付けられるタブ１３７（図４及び図５Ａ）を更に含み、フェルール１２４は、その後端においてその両側に配置される一対の肩部１２４Ｂ（図５Ａ）を含む。組み付けられると、フェルール１２４は、コネクタシェル１３５内に位置決めされるため、コネクタシェル１３５の後方及び内方に方向付けられるタブ１３７が、フェルール１２４の肩部１２４Ｂの前にくる。後方及び内方に方向付けられるタブ１３７は、肩部１２４Ｂに係合して、フェルール１２４がコネクタシェル１３５から出て前方に移動することを防止する。
【００２８】
組み付けられると、ブーツ１２２、カシメリング１７５、カシメリングベース１７０、フェルールブーツ１５５、ばね１６０、フェルール１２４及びコネクタシェル１３５のうちの１つ又は複数が、プラグ着脱可能なコネクタ１００を形成することができる。後述するように、プラグ着脱可能なコネクタ１００は、光電子モジュール２００を分解することなく、光電子モジュール２００のレンズアセンブリ２９０に取り付けられるとともに分離される。より具体的には、プラグ着脱可能なコネクタ１００がコネクタ開口２１０に摺動して入ってレンズアセンブリ２９０に接続されると、ラッチ１２５はラッチスロット２２０内に延びる。ラッチ１２５は、ラッチスロット内に延びると、プラグ着脱可能なコネクタ１００をコネクタ開口２１０内に、及び、プラグ着脱可能なコネクタ１００を光電子モジュール２００のレンズアセンブリ２９０に固定する。
【００２９】
図４に示されているように、フェルール１２４は、一対の位置合わせスロット１２４Ａを含む。一対の位置合わせスロット１２４Ａは、プラグ着脱可能なコネクタ１００がコネクタ開口２１０に挿入されると、レンズアセンブリ２９０の一対の位置合わせピン２９５（図３及び図６Ｂ）と協働し、光ファイバ１６５とレンズアセンブリ２９０とを光学的に位置合わせする。図６Ａ〜図６Ｅは、本明細書において記載される少なくとも１つの実施形態に従って配置されているプラグ着脱可能なコネクタ１００を用いて光ケーブル１５０を光電子モジュール２００に取り付けるプロセスをまとめて示す断面図である。図６Ａ〜図６Ｅによって包括的に示されているように、プラグ着脱可能なコネクタ１００とレンズアセンブリ２９０との係合及び位置合わせを、プラグ着脱可能なコネクタ１００の構成要素（例えばラッチ１２５）をラッチすることによって維持することができる。図６Ａは、プラグ着脱可能なコネクタ１００及び光ケーブル１５０を光電子モジュール２００に取り付けていない、ホストＰＣＢ３００に実装されている光電子モジュール２００の側断面図である。図６Ｂは、プラグ着脱可能なコネクタ１００がモジュールハウジング２５０のコネクタ開口２１０に挿入されるときの、ホストＰＣＢ３００に実装されている光電子モジュール２００の側断面図である。図６Ｂに示されているように、フェルール１２４は、コネクタ開口２１０に入り、光電子モジュール２００のレンズアセンブリ２９０に近づく。次に、図６Ｃに示されているように、ラッチ１２５の角度の付いた前縁又は斜面がモジュールハウジング２５０の前壁６０２に接触して前壁６０２の下を通過すると、プラグ着脱可能なコネクタ１００のコネクタシェル１３５に形成されているラッチ１２５が押下され、例えば下方に撓む。ラッチ１２５は、コネクタシェル１３５の半島形状の部分又はタング７００の端部に位置付けられる。タング７００は、少なくとも予め定められた運動範囲内で上下に撓み、恒久的に変形することなくその初期状態に戻ることができるように、弾性であるものとすることができる。ラッチ１２５がコネクタ開口２１０の内部に向かって押下されると、復元するばねの力がタング７００において生成され（図５Ａ）、これによってラッチ１２５を上方に付勢する。前壁６０２は、プラグ着脱可能なコネクタ１００が完全に挿入されるまで、例えば、前壁６０２からラッチ１２５が離れ、ラッチ１２５が復元するばねの力によってラッチスロット２２０内で上方に押しやられるまで、ラッチ１２５が上方に移動することを防止する。図６Ｄは、ラッチ１２５がラッチスロット２２０内に上方に延びている状態の、光電子モジュール２００のコネクタ開口２１０内に完全に挿入されたプラグ着脱可能なコネクタ１００を示している。
【００３０】
プラグ着脱可能なコネクタ１００が例えば図６Ｂ及び図６Ｃに示されているように挿入されると、レンズアセンブリ２９０の一対の位置合わせピン２９５（図３及び図６Ｂ）が、フェルール１２４の一対の位置合わせスロット１２４Ａ（図４）によって受け入れられる。一対の位置合わせピン２９５は、フェルール１２４をレンズアセンブリ２９０と位置合わせしてガイドし（例えば、レンズアセンブリ２９０と光ファイバ１６５との光学的な位置合わせ）、フェルール１２４は、レンズアセンブリ２９０のスタンドオフ２９１上で停止されるまで前方に摺動する（図６Ｂ）。フェルール１２４は、スタンドオフ２９１に到達すると、その前方移動を停止することができる。ばね１６０（図５Ａ）は、前述したようにラッチ１２５が前壁６０２を離れてラッチスロット２２０内に上方に延びるまで、カシメリングベース１７０（図５Ａ）及びコネクタシェル１３５のフェルール１２４に対する付加的な前方移動によって、フェルール１２４に対して圧縮される。ラッチ１２５とラッチスロット２２０／前壁６０２との係合によってばね１６０が圧縮された状態で、ばね１６０は、フェルール１２４を前方に付勢してフェルール１２４をレンズアセンブリ２９０に対して保持する保持力を加え、フェルール１２４とレンズアセンブリ２９０との接触を維持することができる。保持力は、以下で更に説明するプラグ着脱可能なコネクタ１００の取り外しも助けることができる。
【００３１】
図６Ｄに示されているように、また前述したように、プラグ着脱可能なコネクタ１００がコネクタ開口２１０内へと十分に前方に移動すると、ラッチ１２５はラッチスロット２２０に到達し、この場合、タング７００における復元するばねの力（図５Ａ）がラッチ１２５を上方に付勢してラッチスロット２２０に入れる。ラッチ１２５がラッチスロット２２０内に位置決めされた状態で、プラグ着脱可能なコネクタ１００は光電子モジュール２００に固定される。図６Ｅは、光電子モジュール２００にしっかりと接続されているプラグ着脱可能なコネクタ１００の断面斜視図である。
【００３２】
図６Ｅは、光電子モジュール２００に含めることができる付加的な構成要素も示している。付加的な構成要素は、トランスインピーダンスアンプ（ＴＩＡ）又はＴＩＡアレイ６０５、ピンアレイ及びモニタフォトダイオード（ＭＰＤ）６１０、垂直共振器面発光レーザ（ＶＣＳＥＬ）アレイ６１２、及び、レーザドライバ又はレーザドライバアレイ６１５を含むことができる。ＴＩＡ６０５、ピンアレイ及びＭＰＤ６１０、ＶＣＳＥＬアレイ６１２及びレーザドライバ６１５は、フレックス回路２３０に取り付けることができ、熱発生構成要素の例である。光電子モジュール２００のこれらの及び／又は他の構成要素は、以下でより詳細に記載するように、ヒートスプレッダ２６０及びモジュールハウジング２５０を通じて消散させることができる熱を発生させる可能性がある。
【００３３】
図７は、本明細書において記載される少なくとも１つの実施形態に従って配置されている光電子モジュール２００からプラグ着脱可能なコネクタ１００及び光ケーブル１５０を取り外すプロセスを示す側断面図である。矢印７０２によって示される、タブ１３０への十分な力の印加によってタブ１３０を押下し、これによって、コネクタシェル１３５のタング７００に矢印７０４によって示される力を印加し、この場合、ラッチ１２５はタング７００の端部に形成されている。力７０４がタング７００に印加されると、ラッチ１２５は、例えば、ラッチ１２５が前壁６０２の底部から鉛直方向に離れるまで、ラッチスロット２２０から下方に離れるように撓んで出て、プラグ着脱可能なコネクタ１００を光電子モジュール２００から取り外すことを可能にする。上記で述べたように、プラグ着脱可能なコネクタ１００内のばね１６０は、プラグ着脱可能なコネクタ１００が光電子モジュール２００内に完全に挿入されると、圧縮下にあるものとすることができる。したがって、タブ１３０が押下され、ラッチ１２５がラッチスロット２２０から離れるように移動して出た後で、ばね１６０の圧縮が、光電子モジュール２００からのプラグ着脱可能なコネクタ１００の取り外しを助けるように、ラッチ１２５を含むコネクタシェル１３５を後方に付勢する。
【００３４】
任意選択的に、プラグ着脱可能なコネクタ１００は、１つ又は複数のハードストップを含み、タング７００が押下され過ぎて恒久的に変形することを防止することができる。ここで、図５Ｂを参照してそのような例を記載する。図５Ｂは、本明細書において記載される少なくとも１つの実施形態に従って配置されているコネクタシェル１３５及びカシメリングベース１７０の上面斜視図である。図５Ｂに示されているように、コネクタシェル１３５は、図５Ａにも表記されている開口１３８を画定している。図５Ａ及び図５Ｂから、タング７００が開口１３８内に延びることが分かる。タブ１３０の下の領域において、開口１３８は幅ｗ１を有し、タング７００は、開口１３８の幅ｗ１よりも小さい幅ｗ２を有する。開口１３８の幅ｗ１に対するタング７００のより小さい幅ｗ２は、タング７００をコネクタシェル１３５の残りの部分に対して押下することを可能にする。
【００３５】
図５Ｂは、カシメリングベース１７０のタブ１３０の突出部１３９を更に示している。突出部１３９は、タブ１３０のハードストップ１４０から高さｈだけ下方に延びる。突出部１３９は、タング７００の上に位置決めされ、開口１３８の幅ｗ１よりも小さい幅ｗ３を有する。突出部１３９の幅ｗ３が開口１３８の幅ｗ１よりも小さいため、タブ１３０が下方に押下されると、突出部１３９は、タング７００に接触し、コネクタシェル１３５の残りの部分からの干渉なく、タング７００を、開口１３８を通して下方に押しやることができる。ハードストップ１４０は、突出部１３９の上のタブ１３０の位置から外方に延びる。タブ１３０は、開口１３８の幅ｗ１よりも大きいハードストップからハードストップへの幅ｗ４を有する。
【００３６】
突出部１３９の底部が押下されて高さｈだけ開口１３８に入ることでタング７００が下方に押下されるようにタブ１３０が押下されることに応じて、ハードストップからハードストップへの幅ｗ４が開口１３８の幅ｗ１よりも大きいため、コネクタシェル１３５は、タブ１３０のハードストップ１４０に接触して係合して、タブ１３０又はタング７００の更なる下方への押下を防止することができる。ハードストップ１４０はそれによって、突出部１３９の高さｈによって決まる所定の距離を超えるタング７００の下方への撓み又は押下を防止することができ、これは、タング７００が押下され過ぎて恒久的に変形することを防止することができる。タング７００が下方に撓むことが可能となる所定の距離は、突出部１３９の高さｈに等しいか、実質的に等しいか、又は、より大きいものとすることができる。所定の距離は、プラグ着脱可能なコネクタ１００及び光ケーブル１５０の端部を光電子モジュール２００から取り外すことができるように、ラッチ１２５が下方に撓んで、光電子モジュール２００のラッチスロット２２０から出るのに十分であるように（突出部１３９の高さｈの適切な選択によって）選択することができる。
【００３７】
図８は、本明細書において記載される少なくとも１つの実施形態に従って配置されている、図１の光電子モジュール２００及び別のプラグ着脱可能なコネクタ８００の断面斜視図である。図９は、本明細書において記載される少なくとも１つの実施形態に従って配置されている光電子モジュール２００及びプラグ着脱可能なコネクタ８００の分解斜視図である。図８及び図９並びに他の図に示されている光電子モジュール２００は、本明細書の他の箇所で記載されるものと同じである。
【００３８】
図８及び図９において、プラグ着脱可能なコネクタ８００は、上述したフェルール１２４と同様であるか又は同一であるものとすることができるフェルール８６５、及び、光電子モジュール２００内に挿入されてプラグ着脱可能なコネクタ８００を光電子モジュール２００のコネクタ開口２１０内に保持することができるクリップ８５０を含む。フェルール８６５は、機械的切り替え（ＭＴ）フェルール又は他の好適なフェルールを含むことができる。プラグ着脱可能なコネクタ８００は、フェルール８６５内に少なくとも部分的に延びるケーブルジャケット８７０及び光ファイバ（図示せず）を含む光ケーブル８０５の端部に機械的に結合することができる。図８及び図９のフェルール８６５、並びに、本明細書において記載される他のフェルールは、レンズアセンブリ２９０と、フェルールが取り付けられる光ケーブルの対応する光ファイバとの間で光を結合させる。図８に示されているように、クリップ８５０を、モジュールハウジング２５０のラッチスロット２２０に挿入し、プラグ着脱可能なコネクタ８００を光電子モジュール２００内に保持することができる。
【００３９】
フェルール８６５がレンズアセンブリ２９０によって受け入れられるか、及び／又は、コネクタ開口２１０に十分に挿入されると、クリップ８５０は、ラッチスロット２２０内に保持されるように構成されている。クリップ８５０の一部が、下方にフェルール８６５の後面に隣接して延び、それによって、クリップ８５０がラッチスロット２２０から取り外されるまで、フェルール８６５がコネクタ開口２１０から出て後方に移動することを防止する。クリップ８５０は、据え付けられると、光ケーブル８０５をコネクタ開口２１０内で全体的に囲み、それによって、埃及び／又は他の粒子のモジュールハウジング２５０の内部への侵入を防止するか又は実質的に防止することができる。より具体的には、フェルール８６５を含むプラグ着脱可能なコネクタ８００を、コネクタ開口２１０を通してモジュールハウジング２５０に導入することができる。プラグ着脱可能なコネクタ８００がモジュールハウジング２５０に挿入された後で、クリップ８５０のラッチ部分８８０を、モジュールハウジング２５０のラッチスロット２２０内に位置決めすることができる。操作者が、クリップ８５０を操作し、ラッチ部分８８０をラッチスロット２２０内に固定し、クリップ８５０の１つ又は複数のレバー部分８６０（図９には２つが示されている）を押しやって撓ませ、フェルール８６５の後部に対して垂直な力を加え、プラグ着脱可能なコネクタ８００をコネクタ開口２１０内に固定するとともに、フェルール８６５とレンズアセンブリ２９０との間の力の接触（ｆｏｒｃｅ  ｃｏｎｔａｃｔ）を維持するように、クリップ８５０をコネクタ開口２１０に対して実質的に垂直にすることができる。
【００４０】
操作者は、プラグ着脱可能なコネクタ８００を光電子モジュール２００から取り外すことを望む場合、ラッチ部分８８０を、ラッチスロット２２０を通してアクセス可能な、ラッチ部分８８０に形成される穴８７５を用いて上から引っ掛け、クリップ８５０を、鉛直方向上方に、フェルール８６５から離れるように引く。次に、クリップ８５０が取り外されると、操作者は、光ケーブル１５０に取り外す力を加え、光ケーブル１５０の端部及び（フェルール８６５を含む）プラグ着脱可能なコネクタ８００を光電子モジュール２００に対して後方に引き、それによって、フェルール８６５がレンズアセンブリ２９０から分離されてプラグ着脱可能なコネクタ８００が取り外されるようにする。
【００４１】
したがって、クリップ８５０は、プラグ着脱可能なコネクタ８００をレンズアセンブリ２９０に固定し、プラグ着脱可能なコネクタ８００とレンズアセンブリ２９０との係合を維持し、光電子モジュール２００を取り外すか又は分解することなく、モジュールハウジング２５０からのクリップ８５０の、並びに、レンズアセンブリ２９０及び光電子モジュール２００からのプラグ着脱可能なコネクタ８００の離脱を可能にする。クリップ８５０を含む図８及び図９の実施形態の１つの利点は、（プラグ着脱可能なコネクタ１００に比して）比較的より小さいプラグ着脱可能なコネクタ８００が、きつく嵌めるモジュール用途におけるしっかりとした接続を提供するように、クリップ８５０が光ケーブル８７０のよりきつい曲げ半径を可能にすることである。
【００４２】
図８及び図９の実施形態では、クリップ８５０を取り外すために、操作者が、クリップ８５０のラッチ部分８８０の穴８７５を上から引っ掛けることができるか、又は、クリップ８５０のレバー部分８６０を、コネクタ開口２１０を通して別様に作動することができ、これによって、ラッチ部分８８０をラッチスロット２２０からラッチ解除し、クリップ８５０をフェルール８６５から分離し、フェルール８６５をレンズアセンブリ２９０から取り外すことを可能にすることができる。より具体的には、作動力をクリップ８５０のレバー部分８６０に加えることができる。作動力の結果として、レバー部分８６０のフック又はアーム部分が鉛直に、例えばプラグ着脱可能なコネクタの取り外し方向に対して垂直な方向に変位することができ、これは、プラグ着脱可能なコネクタ８００を光電子モジュール２００から分離することを可能にする。
【００４３】
したがって、ラッチ力がフェルール８６５に対してもはや作用せず、クリップ８５０がフェルール８６５にそれ以上干渉しないほど十分に鉛直に変位すると、フェルール８６５は、レンズアセンブリ２９０から離脱することができる。
【００４４】
図１０Ａ及び図１０Ｂは、本明細書において記載される少なくとも１つの実施形態に従って配置されている別のプラグ着脱可能なコネクタ１０００の斜視図である。図１１Ａは、本明細書において記載される少なくとも１つの実施形態に従って配置されている、図１０Ａ及び図１０Ｂのプラグ着脱可能なコネクタ１０００の分解斜視図である。図１２は、本明細書において記載される少なくとも１つの実施形態に従って配置されている、図１０Ａ及び図１０Ｂのプラグ着脱可能なコネクタ１０００並びに図１の光電子モジュール２００の分解斜視図である。図１０Ａ及び図１０Ｂの実施形態では、プラグ着脱可能なコネクタ１０００は、既存のフェルールベースの光ケーブル１０３０（図１１及び図１２）をプラグ着脱可能な形態に変換させるように変換器を含む。以下でより十分に記載するように、組み付けられたプラグ着脱可能なコネクタ１０００は、光電子モジュール２００にラッチするように、ラッチ解放構成要素又はタブ１０４５及び１つ又は複数のラッチ１０１０（２つのラッチが示されている）を含む。
【００４５】
フェルールベースの光ケーブル１０３０は、フェルール１０３２、ケーブルジャケット１０３１、及び、ケーブルジャケット１０３１内に収容される光ファイバ（図示せず）を含むことができる。フェルール１０３２は、機械的切り替え（ＭＴ）フェルール又は他の好適なフェルールを含むことができる。
【００４６】
図１１Ａは、光電子モジュール２００と関連して使用することができるフェルールベースの光ケーブル１０３０を有するプラグ着脱可能なコネクタ１０００の分解図である。プラグ着脱可能なコネクタ１０００は、ラッチ１０１０を含むコネクタシェル１０２０を含む。コネクタシェル１０２０及びラッチ１０１０は、上述したコネクタシェル１３５及びラッチ１２５と同様であるか又は同一であるものとすることができる。以下でより十分に記載するように、ラッチ１０１０は、モジュールハウジング２５０のラッチスロット２２０に係合及び離脱することができる。コネクタシェル１０２０は、ラッチ１０１０をモジュールハウジング２５０のラッチスロット２２０に係合及び離脱させるように、以下でより十分に記載するタブ１０４５の作動力を伝える半島形状の部分又はタング１０１５も含む。タング１０１５は、少なくとも予め定められた運動範囲内で上下に撓み、恒久的に変形することなくその初期状態に戻ることができるように、弾性であるものとすることができる。
【００４７】
コネクタシェル１０２０は、その両側に配置される一対の後方及び内方に方向付けられるタブ１０２１（図１１Ａ）を更に含み、フェルール１０３２は、その後端においてその両側に配置される一対の肩部１０３３（図１１Ａ）を含む。組み付けられると、フェルール１０３２は、コネクタシェル１０２０内に位置決めされるため、コネクタシェル１０２０の後方及び内方に方向付けられるタブ１０２１が、フェルール１０３２の肩部１０３３の前にくる。後方及び内方に方向付けられるタブ１０２１は、肩部１０３３に係合して、フェルール１０３２がコネクタシェル１０２０から出て前方に移動することを防止する。
【００４８】
コネクタシェル１０２０は、コネクタシェル１０２０と、プラグ着脱可能なコネクタ１０００の上側クランプ１０４０及び下側クランプ１０８０とのしっかりとした係合のために、その各側の表面に形成されるクランプスロット１０３５も含む。上側クランプ１０４０は、プラグ着脱可能なコネクタ１０００及びフェルールベースの光ケーブル１０３０を光電子モジュール２００から取り外すように操作者が作動力を加えるよう用いるタブ１０４５を含む。上側クランプ１０４０は、弓形の横部材１０４３を含む後部１０４４を含む。同様に、下側クランプ１０８０は、弓形の横部材１０８３を含む後部１０８４を含む。上側クランプ１０４０の後部１０４４及び下側クランプ１０８０の後部１０８４は、上側クランプ１０４０及び下側クランプ１０８０がフェルールベースの光ケーブル１０３０の周りでコネクタシェル１０２０と一緒に組み付けられると、上側クランプ１０４０の後部１０４４及びタブ１０４５並びに下側クランプ１０８０の後部１０８４がコネクタシェル１０２０の外部に残るように、それぞれ形状決めされる。上側クランプ１０４０及び下側クランプ１０８０のそれぞれの残りの部分は、コネクタシェル１０２０内に受け入れられる。
【００４９】
さらに、上側クランプ１０４０の弓形の横部材１０４３及び下側クランプ１０８０の弓形の横部材１０８３は、一緒に組み付けられると、フェルールベースの光ケーブル１０３０のケーブルジャケット１０３１の外周に対応するとともに実質的に包囲するようにそれぞれ形成される。
【００５０】
上側クランプ１０４０及び下側クランプ１０８０はそれぞれ、フェルールベースの光ケーブル１０３０をコネクタシェル１０２０内にばね付勢するように、プラグ着脱可能なコネクタ１０００のばね１０６０を収容する、湾曲した凹部１０７１（上側クランプ１０４０には図示されていない）をそれぞれ含む２つのアーム１０５２及び１０７２のそれぞれを含む。特に、ばね１０６０のそれぞれは、上側クランプ１０４０のアーム１０５２のうちの一方の湾曲した凹部１０７１、及び、下側クランプ１０８０のアーム１０７２のうちの対応するアームの湾曲した凹部内に閉じ込められる。
【００５１】
上側クランプ１０４０及び下側クランプ１０８０は、上側クランプ１０４０及び下側クランプ１０８０を一緒にしっかりと組み付けることを可能にする１つ又は複数の支柱１０７０及び１つ又は複数の凹部１０６５もそれぞれ含む。図１１Ａにおいて、下側クランプ１０８０は、２つの支柱１０７０及び２つの凹部１０６５を含む。図１１Ａでは見えないが、上側クランプ１０４０は、２つの支柱１０７０及び２つの凹部１０６５を同様に含む。上側クランプ１０４０の２つの支柱１０７０は、上側クランプ１０４０及び下側クランプ１０８０が一緒に組み付けられるときに、下側クランプ１０８０の２つの凹部１０６５内に受け入れられるように上側クランプ１０４０に位置決めされる。上側クランプ１０４０の２つの凹部１０６５は、上側クランプ１０４０及び下側クランプ１０８０が一緒に組み付けられるときに、下側クランプ１０８０の２つの支柱１０７０を受け入れるように上側クランプ１０４０に位置決めされる。
【００５２】
上側クランプ１０４０の２つのアーム１０５２は、クランプラッチ１０５０をそれぞれ含み、下側クランプ１０８０の２つのアーム１０７２は、クランプラッチ１０７５をそれぞれ含む。上側クランプ１０４０及び下側クランプ１０８０が一緒に組み付けられた後で、２つのアーム１０５２及び２つのアーム１０７２を、コネクタシェル１０２０に挿入することができる。コネクタシェル１０２０の面は、アーム１０５２及び１０７２のそれぞれに内方への力を加えることができ、それによって、少なくともクランプラッチ１０５０及び１０７５がコネクタシェル１０２０のクランプスロット１０３５に達するまで、アーム１０５２及び１０７２のそれぞれを内方に撓ませることができる。コネクタシェル１０２０のクランプスロット１０３５は、クランプラッチ１０５０及び１０７５を実質的に又は完全に収容するほど十分に大きくすることができる。さらに、アーム１０５２及び１０７２は、クランプラッチ１０５０及び１０７５がクランプスロット１０３５に達すると、アーム１０５２及び１０７２のそれぞれにおける復元力によって、コネクタシェル１０２０への挿入前に対応するアーム１０５２又は１０７２が存在する初期の撓んでいない状態に、対応するアーム１０５２又は１０７２を跳ね返らせるか又は少なくとも向かわせることができるように、それぞれ弾性であるものとすることができる。初期の撓んでいない状態では、又は、少なくとも初期の撓んでいない状態付近では、クランプラッチ１０５０及び１０７５のそれぞれは、クランプスロット１０３５のうちの対応するスロット内に延びてコネクタシェル１０２０に係合することができ、それによって、上側クランプ１０４０及び下側クランプ１０８０をコネクタシェル１０２０に固定する。
【００５３】
図１２は、プラグ着脱可能なコネクタ１０００がフェルールベースの光ケーブル１０３０に組み付けられた状態の、光電子モジュール２００の分解斜視図である。組み付けられたプラグ着脱可能なコネクタ１０００及びフェルールベースの光ケーブル１０３０は、図１〜図７に関して記載したプラグ着脱可能なコネクタ１００と実質的に同様に光電子モジュール２００のレンズアセンブリ２９０に接続及び分離することが可能である。
【００５４】
より具体的には、プラグ着脱可能なコネクタ１０００のラッチ１０１０は、フェルールベースの光ケーブル１０３０に組み付けられたプラグ着脱可能なコネクタ１０００が、上述したように同様にコネクタ開口２１０に挿入されると、モジュールハウジング２５０のラッチスロット２２０／前壁６０２に係合する。さらに、操作者がタブ１０４５に押圧又は作動力を加えると、対応する力がコネクタシェル１０２０のタング１０１５に加えられ、ラッチ１０１０を下方に撓ませてラッチスロット２２０から出す。ラッチ１０１０がラッチスロット２２０から出ると、これらは、光電子モジュール２００からのプラグ着脱可能なコネクタ１０００の取り外しに干渉せず、フェルールベースの光ケーブル１０３０のフェルール１０３２が光電子モジュール２００のレンズアセンブリ２９０から離脱すること、及び、フェルールベースの光ケーブル１０３０をコネクタ開口２１０から取り外すことを可能にする。
【００５５】
本明細書において記載するように、図１０Ａ〜図１２のプラグ着脱可能なコネクタ１０００は、フェルールベースの光ケーブル１０３０と光電子モジュール２００のレンズアセンブリ２９０との容易でしっかりとした接続及び分離を提供するプラグ着脱可能なシステムになるように、既存の光電子モジュール２００及びフェルールベースの光ケーブル１０３０を変更することを可能にする。これは、光電子モジュール２００及びフェルールベースの光ケーブル１０３０の構成要素のモジュール式の試験を行うことが可能であることを含め、多くの理由から有利であり得る。さらに、本明細書において記載されるプラグ着脱可能なコネクタ１０００は、ケーブルを切断することなく、また特殊な工具を用いることなく、既製のフェルールベースの光ケーブルが、プラグ着脱可能なケーブルになること、及び、容易に可逆的にプラグ着脱可能ではないケーブルにすることも可能にする。
【００５６】
任意選択的に、プラグ着脱可能なコネクタ１０００は、１つ又は複数のハードストップを含み、タング１０１５が押下され過ぎて恒久的に変形することを防止することができる。ここで、図１１Ｂを参照してそのような例を記載する。図１１Ｂは、本明細書において記載される少なくとも１つの実施形態に従って配置されているコネクタシェル１０２０及び上側クランプ１０４０の上面斜視図である。図１１Ｂに示されているように、コネクタシェル１０２０は、図１１Ａにも表記されている開口１０３６を画定している。図１１Ａ及び図１１Ｂから、タング１０１５が開口１０３６内に延びることが分かる。タブ１０４５の下の領域において、開口１０３６は幅ｗ１を有し、タング１０１５は、開口１０３６の幅ｗ１よりも小さい幅ｗ２を有する。開口１０３６の幅ｗ１に対するタング１０１５のより小さい幅ｗ２は、タング１０１５をコネクタシェル１０２０の残りの部分に対して押下することを可能にする。
【００５７】
図１１Ｂは、上側クランプ１０４０のタブ１０４５の突出部１０３７を更に示している。突出部１０３７は、タブ１０４５のハードストップ１０３８から高さｈだけ下方に延びる。突出部１０３７は、タング１０１５の上に位置決めされ、開口１０３６の幅ｗ１よりも小さい幅ｗ３を有する。突出部１０３７の幅ｗ３が開口１０３６の幅ｗ１よりも小さいため、タブ１０４５が下方に押下されると、突出部１０３７は、タング１０１５に接触し、コネクタシェル１０２０の残りの部分からの干渉なく、タング１０１５を、開口１０３６を通して下方に押しやることができる。ハードストップ１０３８は、突出部１０３７の上のタブ１０４５の位置から外方に延びる。タブ１０４５は、開口１０３６の幅ｗ１よりも大きいハードストップからハードストップへの幅ｗ４を有する。
【００５８】
突出部１０３７の底部が押下されて高さｈだけ開口１０３６に入ることでタング１０１５が下方に押下されるようにタブ１０４５が押下されることに応じて、ハードストップからハードストップへの幅ｗ４が開口１０３６の幅ｗ１よりも大きいため、コネクタシェル１０２０は、タブ１０４５のハードストップ１０３８に接触して係合して、タブ１０４５又はタング１０１５の更なる下方への押下を防止することができる。ハードストップ１０３８はそれによって、突出部１０３７の高さｈによって決まる所定の距離を越えるタング１０１５の下方への撓み又は押下を防止することができ、これは、タング１０１５が押下され過ぎて恒久的に変形することを防止することができる。タング１０１５が下方に撓むことが可能となる所定の距離は、突出部１０３７の高さｈに等しいか、実質的に等しいか、又は、より大きいものとすることができる。所定の距離は、プラグ着脱可能なコネクタ１０００及び光ケーブル１０３０の端部を光電子モジュール２００から取り出すことができるように、ラッチ１０１０が下方に撓んで、光電子モジュール２００のラッチスロット２２０から出るのに十分であるように（突出部１０３７の高さｈの適切な選択によって）選択することができる。
【００５９】
ここで、図１３〜図１６に関して、幾つかの実施形態の別の態様を記載する。図１３は、本明細書において記載される少なくとも１つの実施形態に従って配置されている光電子モジュール２００を通じた伝熱（以下「伝熱１３０２」とする）を示す矢印１３０２（そのうちの幾つかしか表記されていない）を有する、図１の光電子モジュール２００の断面斜視図である。図１４は、本明細書において記載される少なくとも１つの実施形態に従って配置されているインタポーザ２７０及びフレックス回路２３０を含む光電子モジュール２００の底面斜視図である。図１５は、本明細書において記載される少なくとも１つの実施形態に従って配置されているフレックス回路２３０を含む光電子モジュール２００の底面斜視図である。図１６は、本明細書において記載される少なくとも１つの実施形態に従って配置されている光電子モジュール２００の断面底面斜視図である。
【００６０】
図１３を参照すると、光電子モジュール２００は、フレックス回路２３０内に収容されるとともに、インタポーザ２７０とモジュールハウジング２５０との間に位置決めされるヒートスプレッダ２６０を含む。種々の熱発生構成要素１３０４が、フレックス回路２３０に結合されることができる。熱発生構成要素１３０４の幾つかは、レンズアセンブリ２９０の下に概ね位置決めすることができる。熱発生構成要素１３０４は、１つ又は複数のＩＣ（例えば図６ＥのＴＩＡ６０５及び／又はレーザドライバ６１５）、並びに、１つ又は複数のアクティブ光学素子（例えば図６Ｅのピンアレイ並びにＭＰＤ６１０及び／又はＶＣＳＥＬアレイ６１２）を含むことができる。伝熱１３０２は、熱発生構成要素１３０４からヒートスプレッダ２６０への、及び、ヒートスプレッダ２６０からモジュールハウジング２５０内への伝導性の熱の伝達を含むことができる。図示されていないが、ヒートシンクをモジュールハウジング２５０の上面に結合することができる。モジュールハウジング２５０からの熱は、ヒートシンク内に伝導的に伝えることができ、ヒートシンクから、例えば対流的な伝熱によって、周囲の環境に消散されることができる。
【００６１】
これら及び他の実施形態では、ヒートスプレッダ２６０及びモジュールハウジング２５０のそれぞれは、熱伝導性金属等の熱伝導性材料を含むことができる。例えば、ヒートスプレッダ２６０及びモジュールハウジング２５０のそれぞれは、アルミニウム、銅、亜鉛、上記のいずれかの合金、又は、他の好適な熱伝導性材料（複数の場合もあり）を含むことができる。
【００６２】
図１４は、光電子モジュール２００の底部のインタポーザ２７０を示している。インタポーザ２７０は、ホストＰＣＢ３００（図１３）とフレックス回路２３０との電気的な相互接続を提供することができる。インタポーザ２７０は、フレックス回路２３０の底部が見えるように露出させるために、図１５及び図１６からは省かれている。図１６の断面図は、光電子モジュール２００に挿入されたときの、光電子モジュール２００の他の構成要素に対するフェルール１２４の相対的な位置を示している。
【００６３】
図１５及び図１６に示されているように、ヒートスプレッダ２６０は、１つ又は複数の平頭ねじ１２００、ボルト、クリップ若しくは他の締結具によって、及び／又は、エポキシ、接着剤若しくは他の固定手段によって、モジュールハウジング２５０に機械的に結合することができる。幾つかの実施形態では、ヒートスプレッダ２６０は、モジュールハウジング２５０の底部に直接的に結合することができる。代替的に、放熱グリス、熱テープ、熱ゲル又は他の熱伝導性材料を、ヒートスプレッダ２６０とモジュールハウジング２５０との間に設けることができる。
【００６４】
したがって、本明細書において記載される幾つかの実施形態は、光ケーブル１５０、８０５又は１０３０の端部を光電子モジュール２００に取り外し可能に結合するように構成されているプラグ着脱可能なコネクタ１００、８００又は１０００を含む。プラグ着脱可能なコネクタは、光電子モジュール２００のラッチスロット２２０に係合して、光電子モジュール内に、光ケーブル１５０、８０５又は１０３０の光ファイバ１６５に光学的に結合されるフェルール１２４、８６５又は１０３２を保持するように構成されている第１の部分を含むことができる。プラグ着脱可能なコネクタ１００、８００又は１０００は、第１の部分がラッチスロット２２０に係合すると、フェルール１２４、８６５又は１０３２に係合して、光電子モジュール内からのフェルール１２４、８６５又は１０３２の取り外しを防止するように構成されている第２の部分も含むことができる。
【００６５】
例えば、図１〜図７の実施形態のいずれかにおいて、第１の部分は、弾性のタング７００に配置されるラッチ１２５を有する、弾性のタング７００を含むコネクタシェル１３５を含むことができ、ラッチ１２５は、光電子モジュール２００のラッチスロット２２０内に受け入れられるように構成されている。コネクタシェル１３５は、コネクタシェル１３５の正面においてフェルール１２４の少なくとも一部を内部に受け入れるように構成することができる。第２の部分は、コネクタシェル１３５内に部分的に位置決めされるように構成されているとともにフェルール１２４の後ろに位置決めされるように構成されているカシメリングベース１７０を含むことができる。カシメリングベース１７０は、コネクタシェル１３５の弾性のタング７００の上でコネクタシェル１３５の外側に位置決めされるように構成されている弾性のタブ１３０を含む。
【００６６】
図１〜図７の実施形態のいずれかにおいて、カシメリングベース１７０の弾性のタブ１３０への十分な大きさの作動力の印加に応じて、プラグ着脱可能なコネクタ１００の種々の構成要素は、以下のように反応するように構成することができる。第１に、カシメリングベース１７０の弾性のタブ１３０は、下方に撓んでコネクタシェル１３５の弾性のタング７００に接触するように構成することができる。第２に、コネクタシェル１３５の弾性のタング７００は下方に撓むように構成することができる。第３に、コネクタシェル１３５の弾性のタング７００に配置されるラッチ１２５は、フェルール１２４を光電子モジュール２００から取り外すことができるように、光電子モジュール２００のラッチスロット２２０から離脱するように構成することができる。
【００６７】
図１〜図７の実施形態のいずれかにおいて、プラグ着脱可能なコネクタ１００は、カシメリングベース１７０とフェルール１２４の後ろとの間に配置されるように構成されている一対のばね１６０を更に含むことができる。プラグ着脱可能なコネクタ１００は、光ファイバ１６５を内部に通すように構成されているフェルールブーツ１５５を更に含むことができ、フェルールブーツ１５５は、部分的にフェルール１２４内に、及び、部分的にカシメリングベース１７０内に配置されるように構成されている。プラグ着脱可能なコネクタ１００は、カシメリングベース１７０の首部１７１がケーブルジャケット１９０の端部１８０内に位置決めされる位置において光ケーブル１５０のケーブルジャケット１９０の端部１８０を囲むカシメリング１７５を更に含むことができ、カシメリング１７５は、光ケーブル１５０をカシメリングベース１７０に固定するように加締められる。プラグ着脱可能なコネクタ１００は、カシメリングベース１７０の後ろに位置決めされるとともに光ケーブル１５０を通すように構成されているブーツ１２２を更に含むことができる。
【００６８】
図１〜図７の実施形態のいずれかにおいて、コネクタシェル１３５は、コネクタシェル１３５の弾性のタング７００が延びる開口１３８を画定することができる。開口１３８は、コネクタシェル１３５の弾性のタング７００の幅ｗ２よりも大きい幅ｗ１を有することができる。カシメリングベース１７０の弾性のタブ１３０は、コネクタシェル１３５の弾性のタング７００の上に位置決めされるように構成されている突出部１３９を含むことができる。カシメリングベース１７０の弾性のタブ１３０の突出部１３９は、コネクタシェル１３５に画定される開口１３８の幅ｗ１よりも小さい幅ｗ３を有することができる。カシメリングベース１７０の弾性のタブ１３０は、突出部１３９の上の位置から外方に延びるハードストップ１４０を含むことができ、カシメリングベース１７０の弾性のタブ１３０は、コネクタシェル１３５に画定される開口１３８の幅ｗ１よりも大きいハードストップからハードストップへの幅ｗ４を有する。
【００６９】
図１〜図７の実施形態のいずれかにおいて、カシメリングベース１７０の弾性のタブ１３０への十分な大きさの作動力の印加に応じて、プラグ着脱可能なコネクタ１００の種々の構成要素は、以下のように反応するように構成することができる。カシメリングベース１７０の弾性のタブ１３０は、下方に撓んでコネクタシェル１３５の弾性のタング７００に接触するように構成することができる。カシメリングベース１３５の弾性のタング７００は下方に撓むように構成することができる。コネクタシェル１３５は、カシメリングベース１７０の弾性のタブ１３０のハードストップ１４０に係合して、コネクタシェル１３５の弾性のタング７００が、突出部１３９がカシメリングベース１７０の弾性のタブ１３０のハードストップ１４０の下に延びる距離（又は高さ）ｈによって定められる所定の距離を超えて下方に撓むことを防止するように構成することができる。
【００７０】
別の例として、図１０〜図１２の実施形態のいずれかにおいて、第１の部分は、弾性のタング１０１５に配置されるラッチ１０１０を有する、弾性のタング１０１５を含むコネクタシェル１０２０を含むことができる。ラッチ１０１０は、光電子モジュール２００のラッチスロット２２０内に受け入れられるように構成することができる。コネクタシェル１０２０は、コネクタシェル１０２０の正面においてフェルール１０３２の少なくとも一部を内部に受け入れるように構成することができる。第２の部分は、光ケーブル１０３０の周りに一緒に組み付けられるとともに、部分的にコネクタシェル１０２０内に及びフェルール１０３２の後ろに位置決めされるように構成されている別個の上側クランプ１０４０及び下側クランプ１０８０を含むことができる。上側クランプ１０４０は、コネクタシェル１０２０の弾性のタング１０１５の上でコネクタシェル１０２０の外側に位置決めされるように構成されている弾性のタブ１０４５を含む。
【００７１】
図１０Ａ〜図１２の実施形態のいずれかにおいて、上側クランプ１０４０の弾性のタブ１０４５への十分な大きさの作動力の印加に応じて、プラグ着脱可能なコネクタ１０００の種々の構成要素は、以下のように反応するように構成することができる。上側クランプ１０４０の弾性のタブ１０４５は、下方に撓んでコネクタシェル１０２０の弾性のタング１０１５に接触するように構成することができる。コネクタシェル１０２０の弾性のタング１０１５は下方に撓むように構成することができる。コネクタシェル１０２０の弾性のタング１０１５に配置されるラッチ１０１０は、フェルール１０３２を光電子モジュール２００から取り外すことができるように、光電子モジュール２００のラッチスロット２２０から離脱するように構成することができる。
【００７２】
図１０Ａ〜図１２の実施形態のいずれかにおいて、プラグ着脱可能なコネクタ１０００は、組み付けられた上側クランプ１０４０及び下側クランプ１０８０とフェルール１０３２の後ろとの間に配置されるように構成されている一対のばね１０６０を更に含むことができる。
【００７３】
図１０Ａ〜図１２の実施形態のいずれかにおいて、コネクタシェル１０２０は、コネクタシェル１０２０の弾性のタング１０１５が延びる開口１０３６を画定することができる。開口は、コネクタシェル１０２０の弾性のタング１０１５の幅ｗ２よりも大きい幅ｗ１を有することができる。上側クランプ１０４０の弾性のタブ１０４５は、コネクタシェル１０２０の弾性のタング１０１５の上に位置決めされるように構成されている突出部１０３７を含むことができる。上側クランプ１０４０の弾性のタブ１０４５の突出部１０３７は、コネクタシェル１０２０に画定される開口１０３６の幅ｗ１よりも小さい幅ｗ３を有することができる。上側クランプ１０４０の弾性のタブ１０４５は、突出部１０３７の上の位置から外方に延びるハードストップ１０３８を含むことができ、上側クランプ１０４０の弾性のタブ１０４５は、コネクタシェル１０２０に画定される開口１０３６の幅ｗ１よりも大きいハードストップからハードストップへの幅ｗ４を有する。
【００７４】
図１０Ａ〜図１２の実施形態のいずれかにおいて、上側クランプ１０４０の弾性のタブ１０４５への十分な大きさの作動力の印加に応じて、プラグ着脱可能なコネクタ１０００の種々の構成要素は、以下のように反応するように構成することができる。上側クランプ１０４０の弾性のタブ１０４５は、下方に撓んでコネクタシェル１０２０の弾性のタング１０１５に接触するように構成することができる。コネクタシェル１０２０の弾性のタング１０１５は下方に撓むように構成されている。コネクタシェル１０２０は、上側クランプ１０４０の弾性のタブ１０４５のハードストップ１０３８に係合して、コネクタシェル１０２０の弾性のタング１０１５が、突出部１０３７が上側クランプ１０４０の弾性のタブ１０４５のハードストップ１０３８の下に延びる距離（又は高さ）ｈによって定められる所定の距離を超えて下方に撓むことを防止するように構成されている。
【００７５】
別の例として、図８及び図９の実施形態のいずれかにおいて、第１の部分は、クリップ８５０のラッチ部分８８０を含むことができる。第２の部分は、ラッチ部分８８０の両側から下方に延びるクリップ８５０の２つのレバー部分８６０を含むことができる。
【００７６】
図８及び図９の実施形態のいずれかにおいて、クリップ８５０は、フェルール８６５及び光ケーブル８０５の端部が光電子モジュール２００内に位置決めされた後で、ラッチスロット２２０内に挿入されるように構成することができる。さらに、フェルール８６５及び光ケーブル８０５の端部が光電子モジュール２００内に位置決めされ、クリップ８５０がラッチスロット２２０内に完全に挿入された後で、以下の１つ又は複数が存在することができる。ラッチ部分８８０は、ラッチスロット２２０内に残ることができ、２つのレバー部分８６０は、ラッチ部分８８０から、フェルール８６５及び光ケーブル８０５の端部を受け入れる光電子モジュール２００のコネクタ開口２１０内へと下方に延びることができる。クリップ８５０は、２つのレバー部分８６０のうちの一方が光ケーブル８０５の一方の側に対してコネクタ開口２１０に位置決めされ、２つのレバー部分８６０のうちの別のものが光ケーブル８０５の別の側に対してコネクタ開口２１０に位置決めされた状態で、フェルール８６５の後ろの位置において光ケーブル８０５をまたぐことができる。２つのレバー部分８６０は、フェルール８６５の後面に接触して位置決めされ、フェルール８６５及び光ケーブル８０５の端部の、光電子モジュール２００からの取り外しを防止することができる。
【００７７】
代替的に又は付加的に、本明細書において記載される幾つかの実施形態は、光ケーブル１５０、８０５又は１０３０及びプラグ着脱可能なコネクタ１００、８００又は１０００を含むシステムを含む。光ケーブル１５０、８０５又は１０３０は、ケーブルジャケット１９０、８７０又は１０３１、及び、ケーブルジャケット１９０、８７０又は１０３１内に配置される光ファイバ１６５を含むことができる。光ファイバ１６５は、ケーブルジャケット１９０、８７０又は１０３１から延びる端部を含むことができる。プラグ着脱可能なコネクタ１００、８００又は１０００は、光ケーブル１５０、８０５又は１０３０の端部を光電子モジュール２００に取り外し可能に結合するように構成することができる。プラグ着脱可能なコネクタは、光電子モジュール２００のラッチスロット２２０に係合して、光電子モジュール内に、光ケーブル１５０、８０５又は１０３０の光ファイバ８６５に光学的に結合されるフェルール１２４、８６５又は１０３２を保持するように構成されている第１の部分を含むことができる。プラグ着脱可能なコネクタ１００、８００又は１０００は、第１の部分がラッチスロット２２０に係合すると、フェルール１２４、８６５又は１０３２に係合して、光電子モジュール内からのフェルール１２４、８６５又は１０３２の取り外しを防止する第２の部分も含むことができる。
【００７８】
例えば、図１〜図７の実施形態のいずれかにおいて、第１の部分は、弾性のタング７００に配置されるラッチ１２５を有する、弾性のタング７００を含むコネクタシェル１３５を含むことができ、ラッチ１２５は、光電子モジュール２００のラッチスロット２２０内に受け入れられるように構成されている。フェルール１２４の少なくとも一部が、コネクタシェル１３５の正面においてコネクタシェル１３５に受け入れられることができる。第２の部分は、コネクタシェル１３５内に部分的に位置決めされるとともにフェルール１２４の後ろに位置決めされるカシメリングベース１７０を含むことができる。カシメリングベース１７０は、コネクタシェル１３５の弾性のタング７００の上でコネクタシェル１３５の外側に位置決めされるように構成されている弾性のタブ１３０を含む。
【００７９】
図１〜図７の実施形態のいずれかにおいて、コネクタシェル１３５は、コネクタシェル１３５の弾性のタング７００が延びる開口１３８を画定することができる。開口１３８は、コネクタシェル１３５の弾性のタング７００の幅ｗ２よりも大きい幅ｗ１を有することができる。カシメリングベース１７０の弾性のタブ１３０は、コネクタシェル１３５の弾性のタング７００の上に位置決めされる突出部１３９を含むことができる。カシメリングベース１７０の弾性のタブ１３０の突出部１３９は、コネクタシェル１３５に画定される開口１３８の幅ｗ１よりも小さい幅ｗ３を有することができる。カシメリングベース１７０の弾性のタブ１３０は、突出部１３９の上の位置から外方に延びるハードストップ１４０を含むことができ、カシメリングベース１７０の弾性のタブ１３０は、コネクタシェル１３５に画定される開口１３８の幅ｗ１よりも大きいハードストップからハードストップへの幅ｗ４を有する。
【００８０】
別の例として、図１０〜図１２の実施形態のいずれかにおいて、第１の部分は、弾性のタング１０１５に配置されるラッチ１０１０を有する、弾性のタング１０１５を含むコネクタシェル１０２０を含むことができる。ラッチ１０１０は、光電子モジュール２００のラッチスロット２２０内に受け入れられるように構成することができる。フェルール１０３２の少なくとも一部が、コネクタシェル１０２０の正面においてコネクタシェル１０２０に受け入れられることができる。第２の部分は、光ケーブル１０３０の周りに一緒に組み付けられるとともに、部分的にコネクタシェル１０２０内に及びフェルール１０３２の後ろに位置決めされる別個の上側クランプ１０４０及び下側クランプ１０８０を含むことができる。上側クランプ１０４０は、コネクタシェル１０２０の弾性のタング１０１５の上でコネクタシェル１０２０の外側に位置決めされる弾性のタブ１０４５を含む。
【００８１】
図１０Ａ〜図１２の実施形態のいずれかにおいて、コネクタシェル１０２０は、コネクタシェル１０２０の弾性のタング１０１５が延びる開口１０３６を画定することができる。開口は、コネクタシェル１０２０の弾性のタング１０１５の幅ｗ２よりも大きい幅ｗ１を有することができる。上側クランプ１０４０の弾性のタブ１０４５は、コネクタシェル１０２０の弾性のタング１０１５の上に位置決めされる突出部１０３７を含むことができる。上側クランプ１０４０の弾性のタブ１０４５の突出部１０３７は、コネクタシェル１０２０に画定される開口１０３６の幅ｗ１よりも小さい幅ｗ３を有することができる。上側クランプ１０４０の弾性のタブ１０４５は、突出部１０３７の上の位置から外方に延びるハードストップ１０３８を含むことができ、上側クランプ１０４０の弾性のタブ１０４５は、コネクタシェル１０２０に画定される開口１０３６の幅ｗ１よりも大きいハードストップからハードストップへの幅ｗ４を有する。
【００８２】
別の例として、図８及び図９の実施形態のいずれかにおいて、第１の部分は、クリップ８５０のラッチ部分８８０を含むことができる。第２の部分は、ラッチ部分８８０の両側から下方に延びるクリップ８５０の２つのレバー部分８６０を含むことができる。
【００８３】
図８及び図９の実施形態のいずれかにおいて、クリップ８５０は、フェルール８６５及び光ケーブル８０５の端部が光電子モジュール２００内に位置決めされた後で、ラッチスロット２２０内に挿入されるように構成することができる。さらに、フェルール８６５及び光ケーブル８０５の端部が光電子モジュール２００内に位置決めされ、クリップ８５０がラッチスロット２２０内に完全に挿入された後で、以下の１つ又は複数が存在することができる。ラッチ部分８８０は、ラッチスロット２２０内に残ることができ、２つのレバー部分８６０は、ラッチ部分８８０から、フェルール８６５及び光ケーブル８０５の端部を受け入れる光電子モジュール２００のコネクタ開口２１０内へと下方に延びることができる。クリップ８５０は、２つのレバー部分８６０のうちの一方が光ケーブル８０５の一方の側に対してコネクタ開口２１０に位置決めされ、２つのレバー部分８６０のうちの別のものが光ケーブル８０５の別の側に対してコネクタ開口２１０に位置決めされた状態で、フェルール８６５の後ろの位置において光ケーブル８０５をまたぐことができる。２つのレバー部分８６０は、フェルール８６５の後面に接触して位置決めされ、フェルール８６５及び光ケーブル８０５の端部の、光電子モジュール２００からの取り外しを防止することができる。
【００８４】
本発明は、他の特定の形態で具現することができる。記載した実施形態は、全ての点において専ら例示的であり、限定的ではないものとみなされるべきである。本発明の範囲はしたがって、上記の記載ではなく添付の特許請求の範囲によって示される。特許請求の範囲の均等物の意味及び範囲内に入る全ての変更が、それらの範囲内に包含されるものとする。
【図１】
0006375393.tif 000002
【図２】
0006375393.tif 000003
【図３】
0006375393.tif 000004
【図４】
0006375393.tif 000005
【図５Ａ】
0006375393.tif 000006
【図５Ｂ】
0006375393.tif 000007
【図６Ａ】
0006375393.tif 000008
【図６Ｂ】
0006375393.tif 000009
【図６Ｃ】
0006375393.tif 000010
【図６Ｄ】
0006375393.tif 000011
【図６Ｅ】
0006375393.tif 000012
【図７】
0006375393.tif 000013
【図８】
0006375393.tif 000014
【図９】
0006375393.tif 000015
【図１０Ａ】
0006375393.tif 000016
【図１０Ｂ】
0006375393.tif 000017
【図１１Ａ】
0006375393.tif 000018
【図１１Ｂ】
0006375393.tif 000019
【図１２】
0006375393.tif 000020
【図１３】
0006375393.tif 000021
【図１４】
0006375393.tif 000022
【図１５】
0006375393.tif 000023
【図１６】
0006375393.tif 000024